【事件の表示】
　特願２０１０−　２２７７４「パーソナル・ビデオ・レコーダに関する遠隔制御システム及び方法」拒絶査定不服審判事件〔平成２２年　４月３０日出願公開、特開２０１０−　９７６９２〕について、次のとおり審決する。
【結　論】
　本件審判の請求は、成り立たない。
【理　由】
１．手続の経緯 
　本願は、平成１５年４月２日（パリ条約に基づく優先権主張外国庁受理　平成１４年４月５日　米国（ＵＳ））を国際出願日として出願した特願２００３−５８５０８３号の一部を平成２２年２月４日に新たな特許出願としたものであって、平成２３年１２月２２日付け拒絶理由通知に対する応答時、平成２４年７月１０日付けで手続補正がなされたが、同年８月９日付けで拒絶査定がなされ、これに対して、同年１２月１９日付けで拒絶査定不服審判請求及び手続補正がなされた。
　その後、平成２５年４月１５日付けで前置報告書を利用した審尋がなされ、同年９月２７日付けで回答書が提出されたものである。 
 　 
２．平成２４年１２月１９日付けの手続補正についての補正却下の決定 
［補正却下の決定の結論］ 
　平成２４年１２月１９日付けの手続補正を却下する。 
［理　由］ 
（１）補正後の本願発明 
　平成２４年１２月１９日付けの手続補正（以下、「本件補正」という。）により、特許請求の範囲の請求項１は、 
「【請求項１】
　ビデオ・プレイバック装置であって：
　リプレイ機能及び逆送り機能をリプレイ・逆送り多目的遠隔制御信号の受信によって別個に起動する逆送り及びリプレイ・キーであって、前記リプレイ機能は、第１の持続時間を表す前記リプレイ・逆送り多目的遠隔制御信号に応じて起動され、前記逆送り機能は、前記第１の持続時間と異なる第２の持続時間を表す前記リプレイ・逆送り多目的遠隔制御信号に応じて起動される逆送り及びリプレイ・キーと、
　スキップ機能及び前送り機能をスキップ・前送り多目的遠隔制御信号の受信によって別個に起動する前送り及びスキップ・キーであって、前記前送り及びスキップ・キーは、ユーザが前記前送り及びスキップ・キーを押し下げることにより、又は、前送りが起動された後、前記前送り及びスキップ・キーを更に押すことにより、いくつかの早送り速度間でのトグルにより、前記前送り機能の速度を制御するために使用可能であり、前記スキップ機能は、第３の持続時間を表す前記スキップ・前送り多目的遠隔制御信号に応じて起動され、前記前送り機能は、前記第３の持続時間と異なる第４の持続時間を表す前記スキップ・前送り多目的遠隔制御信号に応じて起動される前送り及びスキップ・キーと
を有し、前記スキップ・前送り多目的遠隔制御信号が、前記リプレイ・逆送り多目的遠隔制御信号と異な
り、前記逆送り及びリプレイ・キーと、前記前送り及びスキップ・キーは別個の２つのキーであ
と補正された。
　
　上記補正は、請求項１に記載された発明を特定するために必要な事項である「逆送り及びリプレイ・キー」と「前送り及びスキップ・キー」について、「個別の２つのキーである」との限定を付加するものである。 
　よって、本件補正は、平成１８年法律第５５号改正附則第３条第１項によりなお従前の例によるとされる同法による改正前の特許法第１７条の２第４項第２号に掲げる特許請求の範囲の減縮を目的とするものに該当する。 
　
　そこで、本件補正後の上記請求項１に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項に規定する要件を満たすか）否かについて以下に検討する。 
 　 
（２）引用例 
　原査定の拒絶の理由に引用された特開２０００−２４３０７２号公報（以下、「引用例」という。）には、「ディスクプレーヤー（ビデオＣＤ／ＣＤプレーヤー）」について、図面とともに以下の各記載がある（なお、下線は当審で付与した。）。 
　ア．「【請求項１】  音又は
音と映像を記録したディスクを再生するディスクプレーヤーにおいて
前記ディスクの再生中の音又は音と映像の位置を所定時間前又は所定時間後の位置にタイムスキップするよう操作するためのタイムスキップ操作手段を備えていることを特徴とするディスクプレーヤー
　
　イ．「【請求項３】  
前記ディスクの再生中の
音と映像を早送りする早送り釦及び早戻しする早戻し釦を備え、この早送り釦及び早戻し釦に前記タイムスキップ操作手段を兼用させた
　 
　ウ．「【０００６】
【発明が解決しようとする課題】ところで、上述のような
ビデオＣＤ
プレーヤーでは、映画等を収めたビデオＣＤを再生する場合、１つのトラックが長くなるため、所望の画面を見るために飛ばしたい場合がある。リモコン６３の早送り／NEXT釦７１
を押すと早送り再生となり、例えば１０秒前後毎にビデオＣＤからのデータを読み飛ばし、最初に見つかった１画像のみ表示している
　
　エ．「【００１１】本発明に係るディスクプレーヤーでは、
ディスクの再生中、タイムスキップ操作手段を操作することにより再生中の
音と映像の位置を所定時間前又は所定時間後の位置にタイムスキップして再生を続けることができる
　
　オ．「【００１５】
図２はビデオＣＤ
プレーヤーのリモートコントローラー
再生中押すことにより早戻しスキップするための早戻し／PREVIOUS釦２６、再生中押すことにより早送りスキップするための早送り／NEXT釦２７、再生中１回押すごとに例えば５分間前にタイムスキップするためのタイムスキップ操作手段であるタイムスキップ早戻し釦２８、再生中１回押すごとに例えば５分間後にタイムスキップするためのタイムスキップ操作手段であるタイムスキップ早送り釦２９が設けられている
　 
　カ．「【００１８】図３は本発明に係るビデオＣＤ／ＣＤプレーヤーの概略ブロック図である。
リモコン２１から赤外線や無線等で発信されたコマンドは、プレーヤー本体１の操作部４０で受信され、マイクロコンピュータ（以下、マイコンと略す）４１に入力され制御される
　 
　キ．「【００３０】
図６は第２の実施の形態のビデオＣＤ
プレーヤーのリモコンの正面図である。第２の実施の形態のビデオＣＤ
プレーヤーのリモコン２１′もタイムスキップ早戻し釦２８とタイムスキップ早送り釦２９を有しておらず、早戻し／PREVIOUS釦２６′と早送り／NEXT釦２７′にその機能を兼用させたものであり、その他は上述した第１の実施の形態のリモコン２１と同様に構成されている
　　　　　　　　　・・・・（中　略）・・・・
【００３２】
なお、上述第２の実施の形態では、ラストトラック検知手段によりラストトラックを再生していることを検知した場合、プレーヤー本体１′の早戻し釦１２′と早送り釦１３′、及びリモコン２１′の早戻し／PREVIOUS釦２６′と早送り／NEXT釦２７′がタイムスキップ操作手段として機能するとしたが、これに限らず
早戻し釦１２′又は早送り釦１３′を押すと同時に他の釦、例えばポーズ釦９を押すことによりタイムスキップするように構成してもよい
　
　ク．「【００３７】
【発明の効果】以上説明したように、
本発明によれば、オペレータは再生画面を見ながら
タイムスキップ操作手段を操作することにより、再生中の映像又は音の位置を所定時間前又は所定時間後の位置にタイムスキップすることができ、例えば映画
の所望の位置を簡易に素早くアクセスすることができる
【００３８】
また、既設の早送り釦及び早戻し釦にタイムスキップ操作手段を兼用させた場合には、タイムスキップ専用の釦を新設しなくてもよく、コストが上昇するのを防ぎ、コストの削減を図ることができる
　
　・上記「ア．」「ウ．」等の記載事項によれば、ディスクプレーヤーは、映画等を収めたビデオＣＤを再生するビデオＣＤプレーヤーとして用いることができるものである。
　・上記「キ．」「ク．」の記載事項によれば、第２の実施の形態は、ビデオＣＤ／ＣＤプレーヤーのリモコンは、タイムスキップ早戻し釦とタイムスキップ早送り釦を有しておらず、既設の早戻し／PREVIOUS釦と早送り／NEXT釦にその機能を兼用させたものである。
　そして、兼用させるための具体例としては、上記「キ．」に「早戻し釦１２′又は早送り釦１３′を押すと同時に他の釦、例えばポーズ釦９を押すことによりタイムスキップするように構成してもよい。」とあり、かかる具体例は当然、プレーヤー本体側のみでなくリモコン側にもいえることであり、上記「カ．」の記載事項も合わせると、いわゆる「早戻し機能」及び「タイムスキップ早戻り機能」の両機能は、少なくとも早戻し／PREVIOUS釦が押された操作により発信されたコマンドの受信に応じて起動されものであり、具体的には、「早戻し機能」は、早戻し／PREVIOUS釦が押された操作により発信されたコマンドの受信に応じて起動され、「タイムスキップ早戻り機能」は、早戻し／PREVIOUS釦と他の釦（例えばポーズ釦）が同時に押された操作により発信されたコマンドの受信に応じて起動され、同様に、いわゆる「早送り機能」及び「タイムスキップ早送り機能」の両機能は、少なくとも早送り／NEXT釦が押された操作により発信されたコマンドの受信に応じて起動されものであり、具体的には、「早送り機能」は、早送り／NEXT釦が押された操作により発信されたコマンドの受信に応じて起動され、「タイムスキップ早送り機能」は、早送り／NEXT釦と他の釦（例えばポーズ釦）が同時に押された操作により発信されたコマンドの受信に応じて起動されるといえる。
　 
　したがって、ディスクプレーヤーがビデオＣＤプレーヤーとして用いられ、第２の実施の形態における既設の早戻し／PREVIOUS釦及び早送り／NEXT釦にタイムスキップ早戻し釦及びタイムスキップ早送り釦の機能を兼用させた場合のものに着目し、上記記載事項及び図面を総合勘案すると、引用例には、次の発明（以下、「引用発明」という。）が記載されている。
　 
「映画等を収めたビデオＣＤを再生するビデオＣＤプレーヤーにおいて、 
　当該ビデオＣＤプレーヤーのリモコンに設けられ、前記ビデオＣＤの再生中の音と映像を早戻しする早戻し／PREVIOUS釦であって、当該早戻し／PREVIOUS釦に前記ビデオＣＤの再生中の音と映像の位置を所定時間前の位置にタイムスキップする機能を兼用させ、これら早戻し機能とタイムスキップ早戻り機能の両機能は、少なくとも当該早戻し／PREVIOUS釦が押された操作により発信されたコマンドの受信に応じて起動されものであり、具体的には、早戻し機能は、当該早戻し／PREVIOUS釦が押された操作により発信されたコマンドの受信に応じて起動され、タイムスキップ早戻り機能は、当該早戻し／PREVIOUS釦と他の釦（例えばポーズ釦）が同時に押された操作により発信されたコマンドの受信に応じて起動される早戻し／PREVIOUS釦と、
　前記ビデオＣＤプレーヤーのリモコンに設けられ、前記ビデオＣＤの再生中の音と映像を早送りする早送り／NEXT釦であって、当該早送り／NEXT釦に前記ビデオＣＤの再生中の音と映像の位置を所定時間後の位置にタイムスキップする機能を兼用させ、これら早送り機能とタイムスキップ早送り機能の両機能は、少なくとも当該早送り／NEXT釦が押された操作により発信されたコマンドの受信に応じて起動されものであり、具体的には、早送り機能は、当該早送り／NEXT釦が押された操作により発信されたコマンドの受信に応じて起動され、タイムスキップ早送り機能は、当該早送り／NEXT釦と他の釦（例えばポーズ釦）が同時に押された操作により発信されたコマンドの受信に応じて起動される早送り／NEXT釦と、
　を有し、タイムスキップ専用の釦を新設しなくてもよいビデオＣＤプレーヤー。」
　 
（３）対比 
　そこで、本願補正発明と引用発明とを対比すると、 
　ア．引用発明における、映画等を収めたビデオＣＤを再生する「ビデオＣＤプレーヤー」は、本願補正発明における「ビデオ・プレイバック装置」に相当する。
　
　イ．引用発明における、ビデオＣＤの再生中の音と映像を早戻しする「早戻し機能」は、後述の早送り機能とは逆方向にいわゆる早戻し再生する機能である（上記「ウ．」参照）といえ、本願補正発明における「逆送り機能」に相当し、
　引用発明における、ビデオＣＤの再生中の音と映像の位置を所定時間前の位置にタイムスキップする「タイムスキップ早戻り機能」は、所定時間前の位置にタイムスキップして再生を続ける機能である（上記「エ．」参照）から、本願補正発明における「リプレイ機能」に相当し、
　引用発明における「当該ビデオＣＤプレーヤーのリモコンに設けられ、前記ビデオＣＤの再生中の音と映像を早戻しする早戻し／PREVIOUS釦であって、当該早戻し／PREVIOUS釦に前記ビデオＣＤの再生中の音と映像の位置を所定時間前の位置にタイムスキップする機能を兼用させ、これら早戻し機能とタイムスキップ早戻り機能の両機能は、少なくとも当該早戻し／PREVIOUS釦が押された操作により発信されたコマンドの受信に応じて起動されものであり、具体的には、早戻し機能は、当該早戻し／PREVIOUS釦が押された操作により発信されたコマンドの受信に応じて起動され、タイムスキップ早戻り機能は、当該早戻し／PREVIOUS釦と他の釦（例えばポーズ釦）が同時に押された操作により発信されたコマンドの受信に応じて起動される早戻し／PREVIOUS釦と」によれば、
　引用発明における、リモコンに設けられた「早戻し／PREVIOUS釦」は、早戻し機能とタイムスキップ早戻り機能とを兼用させたものであり、これら両機能を個別に起動させることができるものであることから、本願補正発明における「逆送り及びリプレイ・キー」に相当し、引用発明における、少なくとも当該早戻し／PREVIOUS釦が押された操作により発信された「コマンド」は、本願補正発明における「リプレイ・逆送り多目的遠隔制御信号」に相当するとみることができ、したがって、
　本願補正発明と引用発明とは、「リプレイ機能及び逆送り機能をリプレイ・逆送り多目的遠隔制御信号の受信によって別個に起動する逆送り及びリプレイ・キーであって、前記リプレイ機能は、第１の前記リプレイ・逆送り多目的遠隔制御信号に応じて起動され、前記逆送り機能は、前記第１のリプレイ・逆送り多目的遠隔制御信号とは異なる第２の前記リプレイ・逆送り多目的遠隔制御信号に応じて起動される逆送り及びリプレイ・キーと」を有する点で共通するといえる。
　
　ウ．引用発明における、ビデオＣＤの再生中の音と映像を早送りする「早送り機能」は、いわゆる早送り再生する機能である（上記「ウ．」参照）といえ、本願補正発明における「前送り機能」に相当し、
　引用発明における、ビデオＣＤの再生中の音と映像の位置を所定時間後の位置にタイムスキップする「タイムスキップ早送り機能」は、所定時間後の位置にタイムスキップして再生を続ける機能である（上記「エ．」参照）から、本願補正発明における「スキップ機能」に相当し、
　引用発明における「前記ビデオＣＤプレーヤーのリモコンに設けられ、前記ビデオＣＤの再生中の音と映像を早送りする早送り／NEXT釦であって、当該早送り／NEXT釦に前記ビデオＣＤの再生中の音と映像の位置を所定時間後の位置にタイムスキップする機能を兼用させ、これら早送り機能とタイムスキップ早送り機能の両機能は、少なくとも当該早送り／NEXT釦が押された操作により発信されたコマンドの受信に応じて起動されものであり、具体的には、早送り機能は、当該早送り／NEXT釦が押された操作により発信されたコマンドの受信に応じて起動され、タイムスキップ早送り機能は、当該早送り／NEXT釦と他の釦（例えばポーズ釦）が同時に押された操作により発信されたコマンドの受信に応じて起動される早送り／NEXT釦と」によれば、
　引用発明における、リモコンに設けられた「早送り／NEXT釦」は、早送り機能とタイムスキップ早送り機能とを兼用させたものであり、これら両機能を個別に起動させることができるものであることから、本願補正発明における「前送り及びスキップ・キー」に相当し、引用発明における、少なくとも当該早送り／NEXT釦が押された操作により発信された「コマンド」は、本願補正発明における「スキップ・前送り多目的遠隔制御信号」に相当するとみることができ、したがって、
　本願補正発明と引用発明とは、「スキップ機能及び前送り機能をスキップ・前送り多目的遠隔制御信号の受信によって別個に起動する前送り及びスキップ・キーであって、前記スキップ機能は、第３の前記スキップ・前送り多目的遠隔制御信号に応じて起動され、前記前送り機能は、前記第３のスキップ・前送り多目的遠隔制御信号と異なる第４の前記スキップ・前送り多目的遠隔制御信号に応じて起動される前送り及びスキップ・キーと」を有する点で共通するといえる。
　
　エ．そして、引用発明のビデオＣＤプレーヤーは、「タイムスキップ専用の釦を新設しなくてもよい」ものであり、「早戻し／PREVIOUS釦」と「早送り／NEXT釦」は個別の２つの釦であることは明らかであるとともに、
　少なくとも早戻し／PREVIOUS釦が押された操作により発信された「コマンド」と、少なくとも早送り／NEXT釦が押された操作により発信された「コマンド」とは、個別の異なる釦の操作に起因して発信された異なるコマンドであることも明らかであるから、
　本願補正発明と引用発明とは、「前記スキップ・前送り多目的遠隔制御信号が、前記リプレイ・逆送り多目的遠隔制御信号と異なり、前記逆送り及びリプレイ・キーと、前記前送り及びスキップ・キーは別個の２つのキーである」点で一致するということができる。
　
　よって、本願補正発明と引用発明とは、 
「ビデオ・プレイバック装置であって：
　リプレイ機能及び逆送り機能をリプレイ・逆送り多目的遠隔制御信号の受信によって別個に起動する逆送り及びリプレイ・キーであって、前記リプレイ機能は、第１の前記リプレイ・逆送り多目的遠隔制御信号に応じて起動され、前記逆送り機能は、前記第１のリプレイ・逆送り多目的遠隔制御信号とは異なる第２の前記リプレイ・逆送り多目的遠隔制御信号に応じて起動される逆送り及びリプレイ・キーと、
　スキップ機能及び前送り機能をスキップ・前送り多目的遠隔制御信号の受信によって別個に起動する前送り及びスキップ・キーであって、前記スキップ機能は、第３の前記スキップ・前送り多目的遠隔制御信号に応じて起動され、前記前送り機能は、前記第３のスキップ・前送り多目的遠隔制御信号と異なる第４の前記スキップ・前送り多目的遠隔制御信号に応じて起動される前送り及びスキップ・キーと
を有し、前記スキップ・前送り多目的遠隔制御信号が、前記リプレイ・逆送り多目的遠隔制御信号と異なり、前記逆送り及びリプレイ・キーと、前記前送り及びスキップ・キーは別個の２つのキーであることを特徴とするビデオ・プレイバック装置。」
である点で一致し、以下の点で相違する。 
［相違点１］　 
　逆送り及びリプレイ・キーによるリプレイ機能及び逆送り機能のそれぞれを起動させるための第１及び第２のリプレイ・逆送り多目的遠隔制御信号について、本願補正発明では、それぞれ「第１の持続時間を表す」前記リプレイ・逆送り多目的遠隔制御信号、「前記第１の持続時間と異なる第２の持続時間を表す」前記リプレイ・逆送り多目的遠隔制御信号と特定するのに対し、引用発明では、そのような特定がなく、
　同様に、前送り及びスキップ・キーによるスキップ機能及び前送り機能のそれぞれを起動させるための第３及び第４のスキップ・前送り多目的遠隔制御信号について、本願補正発明では、それぞれ「第３の持続時間を表す」前記スキップ・前送り多目的遠隔制御信号、「前記第３の持続時間と異なる第４の持続時間を表す」前記スキップ・前送り多目的遠隔制御信号と特定するのに対し、引用発明では、そのような特定がない点。
　
［相違点２］ 
　前送り及びスキップ・キーが、本願補正発明では、「ユーザが前記前送り及びスキップ・キーを押し下げることにより、又は、前送りが起動された後、前記前送り及びスキップ・キーを更に押すことにより、いくつかの早送り速度間でのトグルにより、前記前送り機能の速度を制御するために使用可能」であると特定するのに対し、引用発明では、そのような特定がない点。
　
（４）判断 
　上記相違点について検討する。 
［相違点１］について 
　結局、１つのキーにより２つの異なる機能を個別に起動させるにあたって、本願補正発明では、多目的遠隔制御信号の持続時間、すなわちキーの押された時間の長さによって区別するようにしたものであり、一方、引用発明では、モード選択キーとして働く他の釦（例えばポーズ釦）が同時に押されたか否かによって区別するようにしたものであるといえる。
　しかしながら、例えば原査定の拒絶の理由に引用された下記文献１（段落【０００２】、【００１０】、【００１９】、【００２８】、【００３３】を参照）、同じく原査定の拒絶の理由に引用された下記文献２（１頁右欄１４行〜２頁右欄１２行、３頁左欄３行〜同頁右欄６行、第１図、第４図を参照）、同じく原査定の拒絶の理由に引用された下記文献３（１頁右下欄５行〜２頁右上欄１１行、３頁左下欄２〜１５行、５頁右上欄１５行〜同頁左下欄９行を参照）に記載のように、操作性の向上や操作釦の数を少なくして小型化を図るために、１つの操作釦が押された時間の長さ、すなわち操作釦が押された操作に起因する信号の持続時間の長短に応じて、２つの異なる機能を個別に起動させることは周知の技術事項であり、引用発明においても、本体側のみならずリモコン側にあっても操作性の向上や操作釦の数を少なくして小型化を図ることはごく普通に望まれることであるから、かかる周知の技術事項を採用し、モード選択キーとしての他の釦（例えばポーズ釦）を利用することに代えて、早戻し／PREVIOUS釦の押された時間の長さ、すなわち当該釦が押された操作に起因するコマンド（信号）の持続時間の長短に応じて、タイムスキップ早戻り機能と早戻り機能を個別に起動させるようにすること、同様に、早送り／NEXT釦の押された時間の長さ、すなわち当該釦が押された操作に起因するコマンド（信号）の持続時間の長短に応じて、タイムスキップ早送り機能と早送り機能を個別に起動させるようにすることは、当業者にとって容易になし得ることである。
　
　文献１：特開平７−２９３５５号公報
　文献２：特公平６−１０１１９０号公報
　文献３：特開平１−１９６７５９号公報
　
［相違点２］について 
　まず、本願補正発明でいうところの「トグル」の技術的意味について検討しておく。
　一般的にはトグル機能といえば、同じキー操作によって異なる状態に順次繰り返し切り替えられるようにした機能であり、例えば異なる状態がＡ、Ｂ、Ｃの３つの場合、キー操作をする度に、Ａ→Ｂ→Ｃ→Ａと切り替わり、Ｃの状態でさらにキー操作をするとＡの状態に戻るものであるが、本願補正発明でいうところの「トグル」については、そもそも発明の詳細な説明には「トグル」という記載（用語）は全く、例えば段落【００２５】の「・・この例示的実施例では、該『スキップ・前送り』制御信号が更に１秒間持続する毎に、該PVRは次に高い前送り速度に最高実現可能速度に達するまで切り替える。・・」なる記載や図２、さらには段落【００２６】の「・・最高実現可能速度に達した場合、該『リリース・逆送り』信号が持続していることは該PVRの速度を変えないものである。」なる記載を参照するに、単に、同じキー操作によって異なる状態に順次切り替えられるようにした機能といった意味であり、上記の例でいうと、キー操作をする度に、Ａ→Ｂ→Ｃと切り替わり、Ｃの状態でさらにキー操作をしてもＡの状態に戻るというわけでもないと解釈される。
　なお、本願補正発明において、「前送り及びスキップ・キーを
押し下げる
　
　以上のことを踏まえ、当該相違点についてさらに検討すると、例えば原査定の拒絶の理由に引用された下記文献４（４頁左欄３〜１４行を参照）、同じく原査定の拒絶の理由に引用された下記文献５（【請求項４】、段落【００２４】、【００４６】８行目〜【００５６】、図９を参照）に記載のように、早送り（再生）機能を起動させるためのキーを押し続けることにより、早送り（再生）の速度が順次異なる速度に切り替えられるように制御することや、例えば原査定の拒絶の理由に引用された下記文献６（【請求項３】、段落【００２５】〜【００２６】を参照）、さらには下記文献７（段落【００２２】〜【００２３】、【００２７】〜【００２８】を参照）、下記文献８（段落【００３４】〜【００３５】を参照）に記載のように、早送り（再生）機能を起動させるためのキーを押す（操作する）回数により、早送り（再生）の速度が順次異なる速度に切り替えられるように制御することは、いずれも周知の技術事項であり、引用発明において、かかる周知の技術事項を採用し、早送り機能を起動させるための早送り／NEXT釦を押し続けることにより、又は、早送り／NEXT釦を更に押すことにより（つまり、押す回数により）、いくつかの早送り速度間でのトグル〔上述のとおり、順次異なる状態（速度）に切り替えられる機能〕により、早送り機能の速度を制御することができるようにすることも当業者であれば適宜なし得ることである。
　
　文献４：特開２００１−３０９２８１号公報
　文献５：特開２０００−１３７５００号公報
　文献６：特開平８−１９５９３４号公報
　文献７；特開２００２−４２４０４号公報
　文献８：特開２００１−１０３５８０号公報
　
　そして、上記各相違点を総合的に判断しても本願補正発明が奏する効果は、引用発明及び周知の技術事項から、当業者が十分に予測できたものであって、格別顕著なものがあるとはいえない。 
　 
（５）むすび 
　以上のとおり、本願補正発明は、引用発明及び周知の技術事項に基づいて当業者が容易に発明をすることができたものであるから、特許法第２９条第２項の規定により、特許出願の際独立して特許を受けることができないものである。 
　したがって、本件補正は、平成１８年法律第５５号改正附則第３条第１項によりなお従前の例によるとされる同法による改正前の特許法第１７条の２第５項において準用する同法第１２６条第５項の規定に違反するものであるから、同法第１５９条第１項で読み替えて準用する同法第５３条第１項の規定により却下すべきものである。
　
　なお、請求人は平成２５年９月２７日付けの審尋に対する回答書において、特許請求の範囲についての補正案を示しているが、単に、「逆送り及びリプレイ・キー」及び「前送り及びスキップ・キー」なる記載（用語）について、それぞれ「逆送り及びリプレイ
と呼ばれる多目的
と呼ばれる多目的
　
３．本願発明について 
　平成２４年１２月１９日付けの手続補正は上記のとおり却下されたので、本願の請求項１に係る発明（以下、「本願発明」という。）は、平成２４年７月１０日付け手続補正書の特許請求の範囲の請求項１に記載された、次のとおりのものである。 
「【請求項１】
　ビデオ・プレイバック装置であって：
　リプレイ機能及び逆送り機能をリプレイ・逆送り多目的遠隔制御信号の受信によって別個に起動する逆送り及びリプレイ・キーであって、前記リプレイ機能は、第１の持続時間を表す前記リプレイ・逆送り多目的遠隔制御信号に応じて起動され、前記逆送り機能は、前記第１の持続時間と異なる第２の持続時間を表す前記リプレイ・逆送り多目的遠隔制御信号に応じて起動される逆送り及びリプレイ・キーと、
　スキップ機能及び前送り機能をスキップ・前送り多目的遠隔制御信号の受信によって別個に起動する前送り及びスキップ・キーであって、前記前送り及びスキップ・キーは、ユーザが前記前送り及びスキップ・キーを押し下げることにより、又は、前送りが起動された後、前記前送り及びスキップ・キーを更に押すことにより、いくつかの早送り速度間でのトグルにより、前記前送り機能の速度を制御するために使用可能であり、前記スキップ機能は、第３の持続時間を表す前記スキップ・前送り多目的遠隔制御信号に応じて起動され、前記前送り機能は、前記第３の持続時間と異なる第４の持続時間を表す前記スキップ・前送り多目的遠隔制御信号に応じて起動される前送り及びスキップ・キーと
を有し、前記スキップ・前送り多目的遠隔制御信号が、前記リプレイ・逆送り多目的遠隔制御信号と異なることを特徴とするビデオ・プレイバック装置。」
 　 
（１）引用例 
　原査定の拒絶の理由で引用された引用例及びその記載事項は、前記「２．（２）」に記載したとおりである。 
 　 
（２）対比・判断 
　本願発明は、前記「２．」で検討した本願補正発明の発明特定事項である「逆送り及びリプレイ・キー」と「前送り及びスキップ・キー」について、「個別の２つのキーである」との限定を省いたものに相当する。 
　そうすると、本願発明の発明特定事項を全て含み、更に他の限定事項を付加したものに相当する本願補正発明が前記「２．（４）」に記載したとおり、引用発明及び周知の技術事項に基づいて当業者が容易に発明をすることができたものであるから、本願発明も、同様の理由により、引用発明及び周知の技術事項に基づいて当業者が容易に発明をすることができたものである。　 
（３）むすび 
　以上のとおり、本願の請求項１に係る発明は、特許法第２９条第２項の規定により特許を受けることができないものであるから、その余の請求項について論及するまでもなく、本願は拒絶すべきものである。 
　よって、結論のとおり審決する。